(57)【要約】    【課題】  簡易な構成で、背面側からの映写機やプロジェクターによる投射で特に動画の綺麗な映像を形成することができる広告映像用の映写スクリーン、およびそれを有する広告用映像表示看板、サインディスプレイを提供する。    【解決手段】  広告映像用の映写スクリーン１は、映写機２０またはプロジェクターにより背面側から投射された静止画または動画の光２１の映像２２を受像して、該光２１を拡散させる均質な樹脂製の受像シート１３が、立ったまま担持されている。前記受像シート１３が、曲げにより、前記背面側および正面側の少なくとも何れかに迫り出していることが好ましい。広告用映像表示看板２やサインディスプレイは、この映写スクリーン１を有している。【選択図】          図１
0003103449.tif 000002
【実用新案登録請求の範囲】
【請求項１】
映写機またはプロジェクターにより背面側から投射された静止画または動画の光の映像を受像して、該光を拡散させる均質な樹脂製の受像シートが、立ったまま担持されていることを特徴とする広告映像用の映写スクリーン。
【請求項２】
前記受像シートが、曲げにより、前記背面側および正面側の少なくとも何れかに迫り出していることを特徴とする請求項１に記載の映写スクリーン。
【請求項３】
前記受像シートが、前記曲げにより、湾曲または屈曲していることを特徴とする請求項２に記載の映写スクリーン。
【請求項４】
前記曲げにより形成された筋目が、鉛直方向へ向いていることを特徴とする請求項２または３に記載の映写スクリーン。
【請求項５】
前記受像シートが、平面であることを特徴とする請求項１に記載の映写スクリーン。
【請求項６】
前記受像シートの少なくとも片面が、樹脂膜で被覆されていることを特徴とする請求項１〜５のいずれかに記載の映写スクリーン。
【請求項７】
前記受像シートが、枠へ嵌め込まれ、または透明板で挟み込まれることにより、前記担持されていることを特徴とする請求項１〜６のいずれかに記載の映写スクリーン。
【請求項８】
前記受像シートは、（メタ）アクリル樹脂製で、粒子状の光拡散剤を含有することを特徴とする請求項１〜７のいずれかに記載の映写スクリーン。
【請求項９】
請求項１〜８のいずれかに記載の映写スクリーンを有していることを特徴とする広告用映像表示看板。
【請求項１０】
請求項１〜８のいずれかに記載の映写スクリーンを有していることを特徴とする広告用サインディスプレイ。
【考案の詳細な説明】
【技術分野】
【０００１】
本考案は、映写機やプロジェクターから投射されて受像した映像を真正面以外からでも、観ることができる広告映像用の映写スクリーン、及びそれを有し、路上や店頭に載置したり建造物に設置したりする広告用映像表示看板および広告用サインディスプレイに関するものである。
【背景技術】
【０００２】
街頭宣伝広告や、会議・集会でのスライド発表、映画の上映、テレビ鑑賞等のために、映像が大画面の映像表示板に映し出される。このような映像表示板として、映写スクリーン、ＣＲＴディスプレイ、ＬＥＤディスプレイ、電光ディスプレイ等が用いられている。
【０００３】
中でも、映写機やプロジェクターから投射した映像の光を受像する映写スクリーンは、高価なＣＲＴやＬＥＤや電光管を用いる必要がないうえ、簡便であるため、汎用されている。このようなスクリーンには、観者がいる正面側から投射するものと、背面側から投射するものとがある。背面側から投射するスクリーンは、正面側に観者や障害物が在っても映写が遮られないというメリットがある。
【０００４】
背面側から投射するスクリーンとして例えば、特許文献１には、プロジェクタ部の前方に配置される樹脂製スクリーンとそれを保持するフレームとからなるユニットを、縦横に多数並べた大型のマルチプロジェクションシステムが開示され、特許文献２には、フレネルレンズシートのレンズ面とレンチキュラレンズシートのシリンドリカルレンズ面とを対向させて光学接着剤により相互に接着したものが開示され、特許文献３には、表面が非同一な粗さに粗面加工された２枚の光拡散板を積層したものが開示されている。しかし、これらのスクリーンは、レンズシート等の複数の光学材料を用いたり、多数のスクリーンユニットを用いたりしているため、何れも構成が複雑である。そのため、綺麗な映像が形成される簡易な映写スクリーンが望まれていた。
【特許文献１】特開２０００−３４７２９９号公報
【特許文献２】特開２００２−２５０９７３号公報
【特許文献３】特開２００３−０９８６０１号公報
【０００５】
また、従来、広告用のものとして、単なる印刷物を貼付した広告看板や、電飾灯によるサインディスプレイのような広告の画像が静止したものしかなかった。そのため、街頭宣伝に用いられ、簡易な構成であって、通行人の注目を引き、静止画のみならず動画によって綺麗な映像を形成し宣伝効果の優れた大型の広告用映像表示看板やサインディスプレイが望まれていた。
【考案の開示】
【考案が解決しようとする課題】
【０００６】
本考案は、簡易な構成で、背面側からの映写機やプロジェクターによる投射で静止画のみならず動画の綺麗な映像を形成することができる広告映像用の映写スクリーン、およびそれを有する広告用映像表示看板、サインディスプレイを提供することを目的とする。
【課題を解決するための手段】
【０００７】
前記の目的を達成するためになされた本考案の広告映像用の映写スクリーン１は、実施例に対応する図１に示すとおり、映写機２０またはプロジェクターにより背面側から投射された静止画または動画の光２１の映像２２を受像して、該光を拡散させる均質な樹脂製の受像シート１３が、立ったまま担持されている。
【０００８】
この受像シート１３は、フレネルレンズやレンチキュラレンズのような煩雑な光学材料を用いておらず、光拡散剤を均質に含む樹脂で形成されたもので、簡易な構成であっても、綺麗な映像２２を形成することができる。
【０００９】
受像シート１３が、曲げにより、前記背面側および正面側の少なくとも何れかに迫り出していることが好ましい。受像シート１３が迫り出していると、真正面から全映像を観ることができるばかりか、スクリーン１の周りのどの位置からも映像２２の少なくともその一部を観ることができる。特に正面側へ迫り出していると、観者にリアルな臨場感や立体感を感じさせるうえ、平坦な場合よりも広い視野角となるので、一層好ましい。
【００１０】
受像シート１３は、前記曲げにより湾曲していることが好ましい。円弧状に湾曲しつつ正面側へ迫り出していると、殆ど歪まずに映像２２が形成されるので、綺麗である。
【００１１】
この円弧は任意の円弧長、円弧角をとり得る。円弧は、円弧半径Ｒが６００〜８５０ｍｍで、弧度が３０〜１８０°であると特に好ましい。
【００１２】
スクリーン１は、図２に示すように、受像シート１３が二つの円弧状の湾曲を有し、その正面側と背面側との各々へ対照的に迫り出すものであってもよい。さらにそれらが複数繰り返されて波板状となっていてもよい。この円弧も前記の半径、弧度のものであることが特に好ましい。
【００１３】
スクリーン１は、図３に示すように、受像シート１３が前記曲げにより屈曲しているものであってもよい。屈曲は、二つ折りであってもよく、屏風畳に繰り返されていてもよい。屈曲は、１枚の受像シートを折り曲げたものであってもよく、複数片の平坦な受像シートの一辺同士を繋いだものであってもよい。受像シート１３の左右略中程で二つ折りに屈曲していると、その筋目を境にその左右で、光２１の当たる角度が変わって映像２２の現れ方が異なるため、観者に立体感や、動画像である映像の突飛さや奇抜さを感じさせる。また、例えば１台の映写機またはプロジェクターで投射される画像が、筋目を境にその左右で文字映像とイメージ映像のような別な映像として出力表示されるようにコンピュータ制御されて２分割されたものであると、異なる広告映像が各々、その左右で別々に綺麗に表示される。屈曲部分は、任意の屈曲角をとり得る。屈曲角は、３０°以上１８０°未満であると一層好ましく、９０°〜１２０°であるとなお一層好ましい。
【００１４】
スクリーン１は、受像シート１３の曲げにより形成される筋目が、鉛直方向、水平方向、斜方向の何れを向いていてもよい。受像シート１３は、鉛直方向（図１参照）に向いていると、一層好ましい。
【００１５】
スクリーン１は、図４に示すように、平面であってもよい。平面であると大画面であっても、正面側から明瞭に映像全体を視認できるため、好都合である。
【００１６】
スクリーン１は、受像シート１３の少なくとも片面が、樹脂膜で被覆されていることが好ましい。樹脂膜は、例えば光散乱剤を含んでいない（メタ）アクリル樹脂製のものが挙げられる。
【００１７】
スクリーン１は、図１〜４に示すように、受像シート１３が枠に嵌め込まれて担持されていると、歪みや弛みを生じないので、一層好ましい。またスクリーン１は、受像シート１３が透明板例えば（メタ）アクリル樹脂板に挟み込まれて担持されていると、歪みや弛みを生じず耐候性や耐久性が向上する上、枠や縁がないものとすることができる。なお、何れの場合とも受像シート１３が曲げられていてもいなくてもよい。
【００１８】
受像シート１３は、例えばアクリル樹脂やメタクリル樹脂のような（メタ）アクリル樹脂製で、粒子状の光拡散剤を含有している１枚の光散乱性シートである。この樹脂形成の際に光拡散剤の配合量や粒径を適宜選択したり配列を調整したりすることにより、光の分散状態を制御でき、フレネルレンズとレンチキュラレンズシートとを用いた場合と同等以上の高輝度と高コントラストと広視野角と高解像度とを持っている。
【００１９】
この受像シートとして、具体的には、ＲｅｖｏｌｕｔｉｏｎＳｃｒｅｅｎ(レボリュ−ションスクリーン)Ｎｉｍｂｕｓ、同Ｆｒｏｚｅｎ、同Ｆｒｏｎｔ３６０、同Ｍ−ＰＴＶ、およびＰａｎａＶｉｅｗＳｃｒｅｅｎ（いずれもルーミン・オズ株式会社製の商品名）が挙げられる。
【００２０】
このスクリーン１は、立て掛けて用いてもよい。
【００２１】
本考案の広告用映像表示看板２は、前記の映写スクリーン１を有するものである。また、本考案の広告用サインディスプレイは、前記の映写スクリーン１を有するものである。広告用映像表示看板２や広告用サインディスプレイは、スクリーンを板上に固設して路上や店舗先に載置されたり、店舗の軒先や軒下に吊具により吊り下げたり、店舗建物の壁面や屋上に据え付けられたりするものである。
【考案の効果】
【００２２】
この映写スクリーンは、それの背面側からの映写機やプロジェクターによる投射により、明るく綺麗で鮮明な映像を形成することができる。さらにこのスクリーンは、静止画像や動画が投射されることにより、観者が立体感や臨場感を持ったり、突飛さや奇抜さを感じたりする。
【００２３】
そのため、このスクリーンを有する広告用映像表示看板やサインディスプレイは、街頭や店舗先での絶大で優れた広告効果を生じる。
【考案を実施するための最良の形態】
【００２４】
以下、本考案の実施例を図面により詳細に説明する。
【００２５】
図１は本考案を適用する映写スクリーン１を有する広告用映像表示看板２の実施例を示している斜視図である。
【００２６】
この広告用映像表示看板２は、底板１８上に、映写スクリーン１が真直ぐに立設されたものである。
【００２７】
映写スクリーン１は、２本の支柱１２と、それらの上端同士および中程同士に架けられ正面側に湾曲して迫り出している平行な２つの梁１１・１５とを有している。梁１１・１５の湾曲により形成される円弧は、半径Ｒが約８５０ｍｍである。
【００２８】
両支柱１２と両梁１１・１５とで形成されている上枠は、その内側正面寄りの角（図５参照）が削り取られた溝１９を有している。約４０インチサイズで光拡散剤含有の乳白色の受像シートであるＰａｎａＶｉｅｗＳｃｒｅｅｎ（ルーミン・オズ株式会社製の商品名）が、梁１１・１５に沿って湾曲しつつ立ったまま、この上枠の溝１９へ丁度嵌め込まれている。受像シートが枠から外れ落ちないように、受像シートの正面側の外周近傍は細い板状の留具１４で押さえ付けられて、それらが一体にねじ止めされている。
【００２９】
両支柱１２と、その中程に架けられた梁１５と、底板１８とで形成されている下枠には、不透明板１６が嵌め込まれ留具１７で押さえ付けられている。
【００３０】
この広告用映像表示看板２は、次のようにして使用される。
【００３１】
広告用映像表示看板２の背面側後方に、映写機２０である例えばプロジェクタＬＴ２６０ＳＪＫ（ＮＥＣ社製の商品名）を載置する。この映写機２０からは、コンピュータ制御された静止画像または動画が投射される。投射された光２１がこのスクリーン１の受像シート１３に当たって、受像される。この光２１は、受像シート１３の光拡散剤の作用により、散乱して一部が透過する。その結果、受像シート１３の正面側の真正面のみならず斜方からでも観ることができる映像が形成される。
【００３２】
受像シート１３上の映像２２は光の散乱により形成されるものであるから、湾曲した受像シート１３の真正面から映像２２全体が観ることができるのはもとより、多少斜め前方、または側方であっても、綺麗で鮮明な映像を観ることができる。
【００３３】
なお、広告用映像表示看板２は、底板１８にキャスターが付いていてもよい。スクリーン１は、支柱１２に代えて、透明な２枚のアクリル樹脂板（不図示）で受像シートを挟み込んで立ったまま担持させるものであってもよい。
【産業上の利用可能性】
【００３４】
この映写スクリーンは、映写機やプロジェクターにより背面側から投射するためのものである。またこの映写スクリーンを有する広告映像用表示看板は、街頭や店舗先や屋上に設置され、いかなる方向からでも通行人にインパクトのある広告、特に動画である広告映像によって街頭広告をする際に、用いられる。
【図面の簡単な説明】
【００３５】
【図１】本考案を適用する映写スクリーンを有する広告用映像表示看板の実施例を示す斜視図である。
【図２】本考案を適用する映写スクリーンを有する別な広告用映像表示看板の別な実施例を示す一部切り欠き斜視図である。
【図３】本考案を適用する映写スクリーンを有する別な広告用映像表示看板の別な実施例を示す一部切り欠き斜視図である。
【図４】本考案を適用する映写スクリーンを有する別な広告用映像表示看板の別な実施例を示す一部切り欠き斜視図である。
【図５】本考案を適用する映写スクリーンを有する広告用映像表示看板の部分切り欠き断面図である。
【符号の説明】
【００３６】
１は映写スクリーン、２は広告用映像表示看板、１１は梁、１２は支柱、１３は受像シート、１４は留具、１５は梁、１６は不透明板、１７は留具、１８は底板、１９は溝、２０は映写機、２１は光、２２は映像である。
【図１】
0003103449.tif 000003
【図２】
0003103449.tif 000004
【図３】
0003103449.tif 000005
【図４】
0003103449.tif 000006
【図５】
0003103449.tif 000007
【手続補正書】
【提出日】平成16年3月22日(2004.3.22)
【手続補正１】
【補正対象書類名】実用新案登録請求の範囲
【補正対象項目名】全文
【補正方法】変更
【補正の内容】
【実用新案登録請求の範囲】
【請求項１】
映写機（２０）またはプロジェクターにより背面側から投射された静止画または動画の光（２１）の映像（２２）を受像して、該光（２１）を拡散させる均質な樹脂製の受像シート（１３）を、立ったまま担持させる枠（１１、１２、１５）または透明板を有することを特徴とする広告映像用の映写スクリーン。
【請求項２】
前記受像シート（１３）が、曲げにより、前記背面側および正面側の少なくとも何れかに迫り出していることを特徴とする請求項１に記載の映写スクリーン。
【請求項３】
前記受像シート（１３）が、前記曲げにより、湾曲または屈曲していることを特徴とする請求項２に記載の映写スクリーン。
【請求項４】
前記曲げにより形成された受像シート（１３）の筋目が、鉛直方向へ向いていることを特徴とする請求項２または３に記載の映写スクリーン。
【請求項５】
前記受像シート（１３）が、平面であることを特徴とする請求項１に記載の映写スクリーン。
【請求項６】
前記受像シート（１３）の少なくとも片面が、樹脂膜で被覆されていることを特徴とする請求項１〜５のいずれかに記載の映写スクリーン。
【請求項７】
前記受像シート（１３）が、前記枠（１１、１２、１５）へ嵌め込まれ、または前記透明板で挟み込まれることにより、前記担持されていることを特徴とする請求項１〜６のいずれかに記載の映写スクリーン。
【請求項８】
前記受像シート（１３）は、（メタ）アクリル樹脂製で、粒子状の光拡散剤を含有することを特徴とする請求項１〜７のいずれかに記載の映写スクリーン。
【請求項９】
請求項１〜８のいずれかに記載の映写スクリーン（１）を有していることを特徴とする広告用映像表示看板。
【請求項１０】
請求項１〜８のいずれかに記載の映写スクリーン（１）を有していることを特徴とする広告用サインディスプレイ。
【手続補正２】
【補正対象書類名】明細書
【補正対象項目名】０００７
【補正方法】変更
【補正の内容】
【０００７】
前記の目的を達成するためになされた本考案の広告映像用の映写スクリーン１は、実施例に対応する図１に示すとおり、映写機２０またはプロジェクターにより背面側から投射された静止画または動画の光２１の映像２２を受像して、該光２１を拡散させる均質な樹脂製の受像シート１３を、立ったまま担持させる枠１１、１２、１５または透明板を有する。
【手続補正３】
【補正対象書類名】明細書
【補正対象項目名】００１４
【補正方法】変更
【補正の内容】
【００１４】
スクリーン１は、曲げにより形成される受像シート１３の筋目が、鉛直方向、水平方向、斜方向の何れを向いていてもよい。受像シート１３は、鉛直方向（図１参照）に向いていると、一層好ましい。